(57)【要約】【課題】  運搬費用を抑えつつ、高い意匠性を図ることができるフロアスタンドを提供する。【解決手段】  フロアスタンドは、板部材２１により形成され、フロアに設置された基盤部２と、基盤部２に立設された棒状の支柱部３と、支柱部３から水平方向に張り出し、ポップを吊り下げ支持する吊り下げ部４と、吊り下げ部４を支柱部３に連結する連結部５とを備えている。連結部５は、吊り下げ部の連結部分に設けられた雄ねじ部と、支柱部３の連結部分に設けられた雌ねじ部とを備えている。【選択図】図１
0003221398.tif 000002
【実用新案登録請求の範囲】
【請求項１】
フロアに配置される基盤部と、
前記基盤部に立設された支柱部と、
前記支柱部から水平方向に張り出し、ポップを吊り下げ支持する吊り下げ部と、
前記吊り下げ部を前記支柱部に連結する連結部とを備え、
前記連結部は、前記吊り下げ部の連結部分に設けられた雄ねじ部または雌ねじ部のいずれか一方のねじ部と、前記支柱部の連結部分に設けられた、前記一方のねじ部に螺合する他方のねじ部とを備えたフロアスタンド。
【請求項２】
前記吊り下げ部および前記支柱部は、円筒部材により形成され、
前記雄ねじ部は、前記吊り下げ部および前記支柱部のいずれか一方の円筒部材の連結部分に、ボルトの頭部が埋め込まれて固定され、
前記雌ねじ部は、前記他方の円筒部材の連結部分の内周面に形成された請求項１記載のフロアスタンド。
【請求項３】
前記吊り下げ部は、前記支柱部から水平一方向に張り出した第１支持部と、第１支持部に沿って配置され、ポップを掴むクリップ部が設けられた第２支持部とから形成された請求項１または２記載のフロアスタンド。
【請求項４】
前記第１支持部は、前記支柱部を延長するように上方に延び、下端が前記連結部分となる垂直部と、前記垂直部から円弧状に曲がった円弧部と、前記円弧部から水平方向に延びた水平部とを備えた請求項３記載のフロアスタンド。
【請求項５】
前記支柱部は、円筒部材により形成され、
前記吊り下げ部は、前記支柱部を中心に水平二方向に延びるように形成され、
前記雄ねじ部は、前記吊り下げ部に、ボルトの頭部が固定されたものであり、
前記雌ねじ部は、前記円筒部材の内周面にねじ溝が形成されたものである請求項１記載のフロアスタンド。
【請求項６】
前記吊り下げ部は、直線状の棒部材により形成された第１支持部と、前記第１支持部のそれぞれの端部に中央部が接続された一対の短辺部および前記一対の短辺部の端部同士を接続する一対の長辺部により形成され、ポップを掴むクリップ部が設けられた第２支持部とを備えた請求項５記載のフロアスタンド。
【考案の詳細な説明】
【技術分野】
【０００１】
本考案は、ポスター等のポップや案内ポスターなどを吊り下げるフロアスタンドに関するものである。
【背景技術】
【０００２】
店舗での商品の販売促進のため、またはイベント等の告知のために、ポスター等のポップや案内ポスターなどがフロアスタンドに吊り下げられる。
フロアスタンドは、平板状の基盤部に、棒状の支柱部が立設され、支柱部の上部から吊り下げ部が水平に延びるように形成される。
このようなスタンドについて、フロアスタンドではないが、特許文献１，２に記載されたものが知られている。
【０００３】
特許文献１に記載のスタンドはポップ用ではなく、タブレットＰＣ用である。
このタブレットＰＣ用フロアスタンドは、台座ベース部にアルミフレーム支柱を立設固定し、アルミフレーム支柱の上端に回転傾斜金具を外設接続させたスライド支柱カバーを外嵌し、上下左右を自在に伸縮する挟持アームでタブレットＰＣを保持固定させたホルダーケースを回転傾斜金具に固着させる構造である。
【０００４】
また、特許文献２に記載の陳列棚用ポップ支持具は、陳列棚の支柱に形成された係止孔であり、棚板支持具を係止する係止孔に係止させることができるカギ状の係止片を有する係止金具と、この係止金具に外側下端部が固定された逆Ｌ字状のポップ支持バーと、このポップ支持バーの水平バーの両端部寄りの部位に取付けられたポップ係止具と、ポップ支持バーの下端部に取付けられた支柱に先端部が当接するボルトが螺合された位置固定具とを備えたものである。
この陳列棚用ポップ支持具は、係止金具にポップ支持バーの下端部の嵌合部を嵌合させることができる筒部材を一体成形し、筒部材に螺合されたロックボルトによって嵌合部の位置を固定している。
【先行技術文献】
【特許文献】
【０００５】
【特許文献１】実用新案登録第３１９６４５５号公報
【特許文献２】特開平８−２７２３０４号公報
【考案の概要】
【考案が解決しようとする課題】
【０００６】
特許文献１のスタンドでは、回転傾斜金具によりホルダーケースを傾斜させたり、回転傾斜金具からホルダーケースを取り外して、ホルダーケースを支柱に重ねたりすることにより、支柱から水平方向へはみ出す量を少なくすることができる。
また、特許文献２に記載の陳列棚用ポップ支持具では、係止金具からポップ支持バーを取り外せば、係止金具から水平方向へはみ出す量を少なくすることができる。
そうすることで、運搬容積を小さくできるので、運送用の梱包箱を小さいものとすることができ、運送費用を低く抑えることができる。
【０００７】
しかし、特許文献１に記載のタブレットＰＣ用スタンドでは、ホルダーケースのホルダーケースを傾斜させるための回転傾斜金具が複雑な構造であり、ホルダーケースを回転傾斜金具に取り付けたり、取り付けたりするのは煩雑である。
また、特許文献２に記載の陳列棚用ポップ支持具では、ロックボルトを筒部材に螺合することで、嵌合部を固定しているので、筒部材からロックボルトが突出するため、意匠性を低下させる。
【０００８】
そこで本考案は、運搬費用を抑えつつ、高い意匠性を図ることができるフロアスタンドを提供することを目的とする。
【課題を解決するための手段】
【０００９】
本考案のフロアスタンドは、フロアに配置される基盤部と、前記基盤部に立設された支柱部と、前記支柱部から水平方向に張り出し、ポップを吊り下げ支持する吊り下げ部と、前記吊り下げ部を前記支柱部に連結する連結部とを備え、前記連結部は、前記吊り下げ部の連結部分に設けられた雄ねじ部または雌ねじ部のいずれか一方のねじ部と、前記支柱部の連結部分に設けられた、前記一方のねじ部に螺合する他方のねじ部とを備えたことを特徴とする。
【００１０】
本考案のフロアスタンドは、運搬時には、支柱部から基盤部だけでなく、連結部を解除して、吊り下げ部を支柱部から切り離すことができる。そのため、本考案のフロアスタンドを運搬する際には、吊り下げ部の長さ方向と、支柱部の長さ方向とを揃えることで、支柱部からのはみ出し量を少ないものとすることができるので、梱包箱を、幅が狭く、小さいものとすることができる。また、雄ねじ部と雌ねじ部とを螺合して吊り下げ部と支柱部とを連結するため、簡単に組み立てることができ、螺合すれば、ねじ部分は見えなくなるため、意匠性にも優れたものとすることができる。
【００１１】
前記吊り下げ部および前記支柱部は、円筒部材により形成され、前記雄ねじ部は、前記吊り下げ部および前記支柱部のいずれか一方の円筒部材の連結部分に、ボルトの頭部が埋め込まれて固定され、前記雌ねじ部は、前記他方の円筒部材の連結部分の内周面に形成されたものとすることができる。
雄ねじ部が、一方の円筒部材の連結部分に、ボルトの頭部が固定されたものとし、雌ねじ部が、他方の円筒部材の内周面にねじ溝が形成されたものとすれば、吊り下げ部と支柱部とを連結部により連結すれば、雄ねじ部および雌ねじ部を外部から視認できないようにすることができる。
【００１２】
前記吊り下げ部は、前記支柱部から水平一方向に張り出した第１支持部と、前記第１支持部に沿って配置され、ポップを掴むクリップ部が設けられた第２支持部とから形成されたものとすることができる。
第１支持部が支柱部から水平一方向に張り出し、ポップを掴むクリップ部が設けられた第２支持部が第１支持部に沿って配置された吊り下げ部であっても、吊り下げ部を支柱部から切り離した状態で梱包すれば、梱包箱を小さいものとすることができる。
【００１３】
前記第１支持部は、前記支柱部を延長するように上方に延び、下端が前記連結部分となる垂直部と、前記垂直部から円弧状に曲がった円弧部と、前記円弧部から水平方向に延びた水平部とを備えたものとすることができる。
垂直部を中心にして水平部を旋回させれば、雄ねじ部と雌ねじ部とを容易に螺合させることができる。
【００１４】
前記支柱部は、円筒部材により形成され、前記吊り下げ部は、前記支柱部を中心に水平二方向に延びるように形成され、前記雄ねじ部は、前記吊り下げ部に、ボルトの頭部が固定され、前記雌ねじ部は、前記円筒部材の内周面に形成されたものとすることができる。
雄ねじ部が、吊り下げ部に、ボルトの頭部が固定されたものとし、雌ねじ部が、円筒部材に形成された支柱部の内周面にねじ溝が形成されたものとすれば、吊り下げ部と支柱部とを連結部により連結すれば、雄ねじ部および雌ねじ部は外部から視認できなるため、更に意匠性を向上させることができる。
【００１５】
前記吊り下げ部は、直線状の棒部材により形成された第１支持部と、前記第１支持部のそれぞれの端部に中央部が接続された一対の短辺部および前記一対の短辺部の端部同士を接続する一対の長辺部により形成され、ポップを掴むクリップ部が設けられた第２支持部とを備えたものとすることができる。
雄ねじ部を雌ねじ部に挿入して、第１支持部または第２支持部を旋回させれば、雄ねじ部と雌ねじ部とを容易に螺合させることができる。
【考案の効果】
【００１６】
本考案のフロアスタンドによれば、梱包箱を、幅が狭く、小さいものとすることができ、雄ねじ部および雌ねじ部を外部から視認できないようにすることができるので、運搬費用を抑えつつ、高い意匠性を図ることができる。
【図面の簡単な説明】
【００１７】
【図１】本考案の実施の形態１に係るフロアスタンドを示す斜視図である。
【図２】図１に示すフロアスタンドを組み立てる手順を説明するための図であり、基盤部に支柱部を取り付けることを説明するための斜視図である。
【図３】図１に示すフロアスタンドを組み立てる手順を説明するための図であり、支柱部に吊り下げ部を取り付けることを説明するための斜視図である。
【図４】図１に示すフロアスタンドの第１支持部から第２支持部を引き出すことを説明するための図であり、（Ａ）はロック部を解除することを説明するための斜視図、（Ｂ）図１に示すフロアスタンドの第１支持部から第２支持部を引き出した状態を説明するための斜視図である。
【図５】本考案の実施の形態２に係るフロアスタンドを示す斜視図である。
【図６】図５に示すフロアスタンドの取り下げ部を説明するための斜視図である。
【考案を実施するための形態】
【００１８】
（実施の形態１）
本考案の実施の形態１に係るフロアスタンドを図面に基づいて説明する。
図１に示す本実施の形態１に係るフロアスタンド１は、店舗のフロアに設置され、ポスター等のポップを吊り下げるものである。
本実施の形態１に係るフロアスタンド１は、基盤部２と、支柱部３と、吊り下げ部４と、連結部５とを備えている。
【００１９】
基盤部２は、フロアに載置される。基盤部２は、略矩形状の板部材２１により形成されている。板部材２１は、半円状の切り欠き部２１ａが形成されている。板部材２１は、支柱部３が接続される位置が上方に向かって膨らむ凸部２１ｂが形成されている。凸部２１ｂには支柱部３をねじ止めによる固定するためのねじ用の貫通孔２１ｃ（図２参照）が形成されている。
【００２０】
支柱部３は、第１支柱部３１と、第２支柱部３２と、ロック部３３とを備えている。
第１支柱部３１は、円筒部材より形成され、基盤部２の裏面からのねじ止めにより固定されて基盤部２に立設されるため、第１支柱部３１の基端部３１ａに雌ねじ部３１ｂが形成されている。
第２支柱部３２は、第１支柱部３１内に収納される円筒部材により形成されている。
ロック部３３は、第２支柱部３２を第１支柱部３１から突出させた位置で第２支柱部３２を固定するものである。
【００２１】
吊り下げ部４は、支柱部３から水平一方向に張り出し、ポップを吊り下げ、支持するものである。
吊り下げ部４は、支柱部３（第２支柱部３２）と同じ太さの円筒部材により形成された第１支持部４１と、第１支持部４１の下方に配置され、第１支持部４１より細い棒部材により形成された第２支持部４２と、第２支持部４２に設けれ、ポップを掴むクリップ部４３とを備えている。
【００２２】
第１支持部４１は、支柱部３（第２支柱部３２）を延長するように上方に延びた垂直部４１ａと、垂直部４１ａから円弧状に曲がった円弧部４１ｂと、円弧部４１ｂから水平方向に延びた水平部４１ｃとを備えた、横向きのＪ字状に形成されている。
第２支持部４２は、第１支持部４１の垂直部４１ａに接続された一端から第１支持部４１の水平部４１ｃに沿って水平に延びる水平部４２ａと、水平部４２ａの他端から水平部４１ｃに向かって垂直に延びて、水平部４１ｃに接続された垂直部４２ｂとを備えた、Ｌ字状に形成されている。
クリップ部４３は、樹脂製であり、第２支持部４２に２つ設けられている。
【００２３】
連結部５は、支柱部３および吊り下げ部４を連結するものである。図３に示すように、連結部５は、第１支持部４１（吊り下げ部４）の連結部分である基端部４ａと、第２支柱部３２（支柱部３）の連結部分である先端部３２ａとを連結するものである。
本実施の形態１に係るフロアスタンド１の連結部５は、基端部４ａから突出した雄ねじ部５１と、第２支柱部３２の先端部（上端部）の内周面にねじ溝が形成された雌ねじ部５２とによるものである。雄ねじ部５１は、ボルトの頭部を第１支持部４１（吊り下げ部４）の基端部４ａに埋め込まれて固定されて形成されている。
【００２４】
以上のように構成された本考案の実施の形態１に係るフロアスタンド１の組み立て方法および使用状態について、図面に基づいて説明する。
図１に示すフロアスタンド１は、基盤部２と、支柱部３と、吊り下げ部４と、連結部５とが、それぞれ分離され、梱包箱に収納された状態で設置場所まで運搬される。
フロアスタンド１を設置場所にて組み立てる場合には、まず、図２に示すように、基盤部２の凸部２１ｂに開設されたねじ用の貫通孔２１ｃに、基盤部２の裏面からボルトＢを挿通させ、支柱部３の基端部３１ａの雌ねじ部３１ｂに螺合することで、基盤部２と支柱部３とを連結する。
【００２５】
次に、図３に示すように、吊り下げ部４の基端部４ａに形成された連結部５による雄ねじ部５１を、第２支柱部３２（支柱部３）の先端部３２ａに形成された雌ねじ部５２に差し込み、吊り下げ部４全体を旋回させて螺合させる。
第１支持部４１は、垂直部４１ａから円弧部４１ｂを介して水平部４１ｃへ延びるように形成されているため、垂直部４１ａを中心にして水平部４１ｃを旋回させれば、雄ねじ部５１と雌ねじ部５２とを容易に螺合させることができる。
【００２６】
次に、図４（Ａ）に示すように、ロック部３３のハンドル３３ａを上げてロックを解除して、吊り下げ部４を押し上げれば、連結部５がしっかりと吊り下げ部４と支柱部３とを連結しているため、図４（Ｂ）に示すように、第２支柱部３２が第１支柱部３１から引き出される。このとき、第２支柱部３２が第１支柱部３１にしっかりと嵌っていても、吊り下げ部４を左右に回転させながら引き上げることで、第１支柱部３１から第２支柱部３２を容易に引き出すことができる。
【００２７】
第１支柱部３１から第２支柱部３２を適当な長さ引き出されたら、ロック部３３のハンドル部を下げてロックして、第２支柱部３２の突出長さを固定する。
そして、ポスターなどのポップをクリップ部４３に挟み込み、吊り下げ部４からポップを吊り下げる。
【００２８】
このようにして組み立てられるフロアスタンド１は、運搬時には、支柱部３から基盤部２だけでなく、連結部５を解除することで、吊り下げ部４を支柱部３から切り離すことができる。
そのため、支柱部３から水平一方向に張り出した吊り下げ部４であっても、フロアスタンド１を運搬する際には、吊り下げ部４の長さ方向と、支柱部３の長さ方向とを揃えることで、支柱部３からのはみ出し量を少ないものとすることができるので、フロアスタンド１を梱包するための梱包箱の幅を狭いものとすることができる。
従って、梱包箱を小さいものとすることができるので、運搬費用を抑えることができる。
【００２９】
また、図３に示すように、連結部５は、吊り下げ部４の基端部４ａから突出した雄ねじ部５１と、支柱部３の先端部３２ａの雌ねじ部５２とにより形成され、この雄ねじ部５１が雌ねじ部５２に螺合することで、連結している。そのため、支柱部３と吊り下げ部４とが連結した後では、外部から連結部５が視認できない。
従って、フロアスタンド１を、意匠性が高いものとすることができる。
よって、フロアスタンド１は、運搬費用を抑えつつ、高い意匠性を図ることができる。
【００３０】
なお、本実施の形態１では、一方の円筒部材により形成された吊り下げ部４の下端の連結部５は、雄ねじ部または雌ねじ部のいずれか一方のねじ部を、ボルトの頭部が埋め込まれて固定された雄ねじ部５１により形成している。そして、他方の円筒部材により形成された支柱部３側の連結部５は、他方のねじ部を、他方の円筒部材の内周面に形成された雌ねじ部５２により形成している。
しかし、吊り下げ部側のねじ部を他方のねじ部（雌ねじ部）とし、支柱部側のねじ部を一方のねじ部（雄ねじ部）としてもよい。
【００３１】
（実施の形態２）
本考案の実施の形態２に係るフロアスタンドを図面に基づいて説明する。
なお、図５においては図１から図４と同じ構成のものは同符号を付して説明を省略する。
図５に示す本実施の形態２に係るフロアスタンド１０は、吊り下げ部６が支柱部３を中心に水平二方向に延びるように形成されたものである。
図６に示す吊り下げ部６は、第１支持部６１と、第２支持部６２と、クリップ部６３とを備えている。
【００３２】
第１支持部６１は、直線状の棒部材により形成されている。
第１支持部６１の中央部には、連結部５の雄ねじ部５１が設けられている。
連結部５は、この雄ねじ部５１と、支柱部３の先端部３２ａに形成され、雄ねじ部５１が螺合する雌ねじ部５２とにより形成されている。
第２支持部６２は、第１支持部６１のそれぞれの端部に中央部が接続された一対の短辺部６２ａと、一対の短辺部６２ａの端部同士を接続する一対の長辺部６２ｂとにより矩形状に形成されている。
クリップ部６３は、第２支持部６２の長辺部６２ｂに２個ずつ、合計４個が設けられている。
【００３３】
以上のように構成された本考案の実施の形態２に係るフロアスタンド１０においても、運搬時には、支柱部３から基盤部２だけでなく、連結部５（雄ねじ部５１，雌ねじ部５２）を解除することで、吊り下げ部６を支柱部３から切り離すことができる。そのため、フロアスタンド１０を運搬する際には、吊り下げ部６の長さ方向と、支柱部３の長さ方向とを揃えることで、支柱部３からのはみ出し量を少ないものとすることができるので、フロアスタンド１０を梱包するための梱包箱の幅を狭いものとすることができる。従って、梱包箱を小さいものとすることができるので、運搬費用を抑えることができる。
また、雄ねじ部５１が雌ねじ部５２に螺合することで、支柱部３と吊り下げ部６とが連結した後では、ボルトの頭部は見えるものの、雄ねじ部５１のねじ部分は雌ねじ部５２に螺合して、外部から連結部５が視認できない。従って、フロアスタンド１０を、意匠性が高いものとすることができる。
また、雄ねじ部５１を雌ねじ部５２に挿入して、第１支持部６１または第２支持部６２を旋回させれば、雄ねじ部と雌ねじ部とを容易に螺合させることができる。
【産業上の利用可能性】
【００３４】
本考案は、販売促進のためのポスター等のポップや、案内や告知などの案内ポスターなどを吊り下げるフロアスタンドに好適である。
【符号の説明】
【００３５】
１，１０  フロアスタンド
２  基盤部
２１  板部材
２１ａ  切り欠き部
２１ｂ  凸部
２１ｃ  貫通孔
３  支柱部
３１  第１支柱部
３１ａ  基端部
３１ｂ  雌ねじ部
３２  第２支柱部
３２ａ  先端部
３３  ロック部
３３ａ  ハンドル部
４  吊り下げ部
４ａ  基端部
４１  第１支持部
４１ａ  垂直部
４１ｂ  円弧部
４１ｃ  水平部
４２  第２支持部
４２ａ  水平部
４２ｂ  垂直部
４３  クリップ部
５  連結部
５１  雄ねじ部
５２  雌ねじ部
６  吊り下げ部
６１  第１支持部
６２  第２支持部
６２ａ  短辺部
６２ｂ  長辺部
６３  クリップ部
Ｂ  ボルト
【図１】
0003221398.tif 000003
【図２】
0003221398.tif 000004
【図３】
0003221398.tif 000005
【図４】
0003221398.tif 000006
【図５】
0003221398.tif 000007
【図６】
0003221398.tif 000008